(57)【要約】【課題】携帯端末を、その落下時にカバープレートが損傷しがたく、見映えのよい表示エリアの広いものにする。【解決手段】矩形板状のカバープレート２ａの外周縁全体を枠状のカバーフレーム３に嵌め込み、外周縁の正面側の少なくとも一部を全周にわたって覆うと共に、背面側の少なくとも一部を被嵌合部３ｃで受ける。カバーフレーム３の上端内面と、カバープレート２ａの上端部との間にカバーフレーム３を幅方向に広げて被嵌合部３ｃにカバープレート２ａを嵌め込むための組立用隙間１１を設ける。【選択図】図１
2015015628.tif 000002
【特許請求の範囲】
【請求項１】
矩形板状のカバープレート及び該カバープレートの背面に配された表示ユニットを備えた表示部と、
上記カバープレートの外周縁全体が嵌め込まれ、該外周縁の正面側の少なくとも一部を全周にわたって覆うと共に、背面側の少なくとも一部を受ける被嵌合部を有する枠状のカバーフレームと、
上記表示部の背面側を覆う固定部材とを備え、
上記カバーフレームの長手方向両側の少なくとも一方における、上記カバープレートの長手方向端部との間には、上記カバーフレームを幅方向に広げて上記被嵌合部に上記カバープレートを嵌め込むための組立用隙間が設けられている
ことを特徴とする携帯端末。
【請求項２】
請求項１に記載の携帯端末において、
上記カバーフレームの長手方向中間には、上記被嵌合部に上記カバープレートが嵌められた状態で、該カバーフレームが幅方向に広がるのを防止する補強部材を係合する補強部材被係合部が形成されている
ことを特徴とする携帯端末。
【請求項３】
請求項１又は２に記載の携帯端末において、
上記組立用隙間には、上記被嵌合部に上記カバープレートが嵌められた状態で、上記固定部材から延びる突条部が嵌め込まれている
ことを特徴とする携帯端末。
【請求項４】
請求項１又は２に記載の携帯端末において、
上記固定部材の背面は、リアカバーで覆われ、
上記組立用隙間には、上記被嵌合部に上記カバープレートが嵌められた状態で、上記リアカバーから延びる突条部が嵌め込まれている
ことを特徴とする携帯端末。
【請求項５】
請求項１又は２に記載の携帯端末において、
上記表示ユニットの背面側にメイン基板が収容され、
上記組立用隙間には、上記被嵌合部に上記カバープレートが嵌められた状態で、上記メイン基板に設けた嵌合部材が嵌め込まれている
ことを特徴とする携帯端末。
【発明の詳細な説明】
【技術分野】
【０００１】
本発明は、矩形板状のカバープレート及びこのカバープレートの背面に貼り付けられた表示ユニットを備えた表示部を有する携帯端末に関するものである。
【背景技術】
【０００２】
従来より、例えば、特許文献１のように、パネル部材とケース部材の開口の周囲とを接着部材で接着することは知られている。具体的には、例えば図１７及び図１８に示すように、金属フレーム１０５がインサート成形された正面側キャビネット１０３の枠状部分に枠状の両面テープ１０６を貼り付けて背面側にタッチパネル、表示ユニット１０２ｂ等が貼り付けられたカバーガラス１０２ａが接着された後、正面側キャビネット１０３の背面を背面側キャビネット１０７で覆い、その背面をリアカバー１０８で覆うことが行われている。
【先行技術文献】
【特許文献】
【０００３】
【特許文献１】特開２０１２−６５０４４号公報
【発明の概要】
【発明が解決しようとする課題】
【０００４】
しかしながら、図１７及び図１８に示すような従来の携帯端末１０１では、表示部１０２に表示できる表示エリアＡ’は、筐体１０３に貼り付ける両面テープ１０６等の額縁Ｂ’の幅によって制限される。タッチパネルを有する表示部１０２が一般的に流通するようになり、小さな筐体に大きな表示エリアＡ’を設けることは、携帯端末１０１の商品性を高める上で重要となってきている。
【０００５】
図１７に示すように、携帯端末１０１の幅方向における両面テープ１０６の幅は、すでにかなり細くなってきており、これ以上細くすると、カバーガラス１０２ａを接着できず、落下時に容易にカバーガラス１０２ａが割れてしまうという問題がある。また、両面テープ１０６を細くしすぎると、両面テープ１０６の加工性が低下すると共に、貼付作業が困難になるという問題もある。
【０００６】
そこで、両面テープ１０６などの接着構造自体を廃止することが考えられる。しかし、この場合、カバーガラス１０２ａを抜け止めする構造と、カバーガラス１０２ａの背面を受け、力が加わったときに表示ユニット１０２ｂににじみ模様が出ないようにする支持部１０３ａとの間にカバーガラス１０２ａを嵌め込まなければならず、その組立作業が困難となる。
【０００７】
カバーガラス１０２ａを正面側キャビネット１０３とは別体のフレームで覆うようにするとしても、そのフレームを分割しないと組付できず、分割式のものにすると、その分割面が目立って見映えが悪い。
【０００８】
本発明は、かかる点に鑑みてなされたものであり、その目的とするところは、携帯端末の落下時にカバープレートが損傷しがたく、見映えのよい表示エリアの広いものにすることにある。
【課題を解決するための手段】
【０００９】
上記の目的を達成するために、この発明では、分割面のない見映えのよい枠状のカバーフレームにカバープレートを嵌め込めるようにした。
【００１０】
具体的には、本発明では、略矩形板状のカバープレート及び該カバープレートの背面に配された表示ユニットを備えた表示部と、
上記カバープレートの外周縁全体が嵌め込まれ、該外周縁の正面側の少なくとも一部を全周にわたって覆うと共に、背面側の少なくとも一部を受ける被嵌合部を有する枠状のカバーフレームと、
上記表示部の背面側を覆う固定部材とを備え、
上記カバーフレームの長手方向両側の少なくとも一方における、上記カバープレートの長手方向端部との間には、上記カバーフレームを幅方向に広げて上記被嵌合部に上記カバープレートを嵌め込むための組立用隙間が設けられている。
【００１１】
上記の構成によると、組立用隙間があるので、カバープレートを被嵌合部に嵌め込むときにカバーフレームを幅方向に押し広げても、カバーフレームが長手方向に縮むのを阻害しない。このため、カバーフレームを分割式にする必要がなく、見映えがよくなると共に、カバーフレームにより、カバープレートが抜け止めされ、落下時のカバープレートの損傷を防ぐことができる。さらに、表示部の幅方向に両面テープを設ける必要がないので、表示エリアをできるだけ大きく取ることができる。
【発明の効果】
【００１２】
以上説明したように、本発明によれば、カバーフレームの長手方向両側の少なくとも一方において、カバープレートの長手方向端部との間にカバーフレームを幅方向に広げて被嵌合部にカバープレートを嵌め込むための組立用隙間を設けたことにより、携帯端末を、落下時にカバープレートが損傷しがたく、見映えのよい、表示エリアの広いものにすることができる。
【図面の簡単な説明】
【００１３】
【図１】本発明の実施形態に係る携帯電話機におけるカバープレートの支持構造を示し、（ａ）が背面図で、（ｂ）が（ａ）のIb−Ib線拡大断面図である。
【図２】カバーフレームを示す背面図である。
【図３】携帯電話機を示す分解斜視図である。
【図４】図２のIV−IV線に対応する携帯電話機を示す拡大断面図である。
【図５】図２のＶ−Ｖ線に対応する携帯電話機を示す拡大断面図である。
【図６】図２のVI−VI線に対応する携帯電話機を示す拡大断面図である。
【図７】図２のVII−VII線に対応する携帯電話機を示す拡大断面図である。
【図８】図２のVIII−VIII線に対応する携帯電話機を示す拡大断面図である。
【図９】カバープレートの嵌め込み方法を説明する図であり、（ａ）及び（ｂ）が正面図で、（ｃ）が（ｂ）のIXc−IXc線に対応する拡大断面図であり、（ｄ）が（ａ）のIXd−IXd線に対応する拡大断面図であり、（ｅ）が（ｂ）のIXe−IXe線に対応する拡大断面図である。
【図１０】携帯電話機の組立手順を示す拡大断面図である。
【図１１】本発明の実施形態に係る変形例１を示す図１０相当図である。
【図１２】本発明の実施形態に係る変形例２を示す図１０相当図である。
【図１３】本発明の実施形態に係る変形例３を示す図１０相当図である。
【図１４】本発明の実施形態に係る変形例４を示す図１０相当図である。
【図１５】本発明の実施形態に係る変形例５を示す図６相当図である。
【図１６】本発明の実施形態に係る変形例６を示す図６相当図である。
【図１７】従来技術に係る図３相当図である。
【図１８】従来技術の携帯端末を示し、（ａ）が正面図で、（ｂ）が（ａ）のXVIIIb−XVIIIb線拡大断面図である。
【発明を実施するための形態】
【００１４】
以下、本発明の実施形態を図面に基づいて説明する。
【００１５】
図３は、本発明の実施形態の携帯電話機１を示し、この携帯電話機１は、正面側に表示部２を備えている。表示部２は、矩形板状の透明なガラス、樹脂成形品等よりなるカバープレート２ａを備え、このカバープレート２ａの背面に液晶ディスプレイなどの表示ユニット２ｂが配されている。本実施形態では、表示ユニット２ｂは、タッチパネルを含んでいるが、必ずしも含まなくてもよい。あるいは、タッチパネル自体がカバープレート２ａであってもよい。
【００１６】
また、カバープレート２ａの背面に表示ユニット２ｂを配する方法としては、一例として、カバープレート２ａの背面に表示ユニット２ｂを貼り付ける、あるいはカバープレート２ａに対して表示ユニット２ｂ（間に弾性体を介在させてもよい）の背面から押圧する、といった構成が考えられる。
【００１７】
カバープレート２ａの外周縁全体は、図２に示す、矩形枠状のカバーフレーム３に嵌め込まれている。図４〜図８にも示すように、カバーフレーム３は、カバープレート２ａの外周縁の正面側の所定幅だけ全周にわたって正面側から覆う抜け止め部３ａと、背面側の少なくとも一部を受ける支持部３ｂとを有する被嵌合部３ｃが形成されている。図５〜図７に示すように、支持部３ｂは、幅方向両側の長さ方向中間に設けられており、この支持部３ｂと抜け止め部３ａとで囲まれることで、被嵌合部３ｃは、溝形状となっている。図４及び図８に示すように、支持部３ｂがない長手方向両端（上下端）側では、被嵌合部３ｃは、Ｌ字状の断面の内壁面によって形成されている。カバーフレーム３は、適度な弾性を有する樹脂成形品、金属成形品等よりなる。
【００１８】
表示部２の背面側は、固定部材４で覆われている。図３に示すように、この固定部材４は、ステンレス板金などの薄板よりなる矩形状の補強部材５がインサート成形されている。補強部材５の幅方向両端には、正面側に突出する複数の（例えば３対の）係合爪５ａが形成されている。図２及び図５に示すように、この係合爪５ａに対応させ、カバーフレーム３の長手方向中間には補強部材被係合部３ｄが膨出して形成されている。この補強部材被係合部３ｄに凹陥した溝には、カバープレート２ａが嵌められた後、固定部材４を嵌め込むときに係合爪５ａが係合するようになっている。
【００１９】
図３に示すように、カバープレート２ａの長手方向両側は、長細い両面テープ６でそれぞれ固定部材４の正面側に貼り付けられている。この両面テープ６は、図１７に示すような従来のものとは異なり、幅方向には設けられていない。カバープレート２ａの長手方向両側は、携帯電話機１に必須のスピーカ、カメラ、マイク等の電子部品が設けられるので、そのスペースを利用すれば、両面テープ６を貼り付けても額縁Ｂの大きさが増えることはない。
【００２０】
固定部材４の背面側は、樹脂成形品よりなる背面側キャビネット７で覆われ、その背面側が樹脂製又は金属製のリアカバー８で覆われている。
【００２１】
図４等に示すように、背面側キャビネット７とリアカバー８との間には、矩形板状の電池パック９が収容され、その正面側には、矩形板状のメイン基板１０が装着されている（いずれも図３では省略）。
【００２２】
そして、本発明の特徴として、図１に円形状に一点鎖線で囲んでハッチングで示すように、カバーフレーム３の上端における被嵌合部３ｃの下面と、カバープレート２ａの上面との間には、所定の隙間よりなる組立用隙間１１が設けられている。この隙間の大きさは、後述する組立時にカバーフレーム３を幅方向に広げて変形させ、被嵌合部３ｃにカバープレート２ａを嵌め込むことができる程度とする。
【００２３】
図８に示すように、この組立用隙間１１は、携帯電話機１の組立状態では、背面側キャビネット７に設けた突条部７ａによって塞がれている。
【００２４】
なお、図８に示すように、背面側キャビネット７の上下端部には、係止用凹部７ｂが凹陥され、カバーフレーム３の背面側には、この係止用凹部７ｂに係止される係止爪３ｅが突設されている。
【００２５】
次いで、図９を用いて、この組立用隙間１１の役割を説明する。カバープレート２ａを被嵌合部３ｃに嵌め込む場合には、太い実線で示すカバープレート２ａの外側寸法Ｐが、図９（ｄ）に示すようにカバーフレーム３の内側寸法Ｗよりも大きい（Ｐ＞Ｗ）ので、そのままでは、嵌め込むことができない。
【００２６】
しかし、図１に示すように組立用隙間１１をカバーフレーム３の上端側に設けているので、図９（ｂ）及び図９（ｅ）に示すように、カバーフレーム３を幅方向に押し広げることができる。つまり、カバーフレーム３を幅方向に広げると、図９（ｃ）に示すように、組立用隙間１１のある下側へカバーフレーム３の上端部内面が移動する。このように組立用隙間１１があるのでカバーフレーム３の幅方向への変形が阻害されず、図９（ｅ）に示すように、カバーフレーム３の内側寸法Ｗ’がカバープレートの外側寸法Ｐよりも大きく（Ｐ＜Ｗ’）なるので、幅方向においてカバープレート２ａの外周縁をカバーフレーム３の被嵌合部３ｃの溝状部分に嵌め込むことができる。その後、カバープレート２ａの上下端部もカバープレート２ａを組立用隙間１１の分だけ長手方向にずらして嵌め込むことができる。
【００２７】
カバーフレーム３にカバープレート２ａを嵌め込んだ後は、その背面側から固定部材４を嵌め込む。このとき、長手方向両側では、両面テープ６によってカバープレート２ａ背面と固定部材４正面とが接着される。一方、図５に示すように、剛性の高い補強部材５の係合爪５ａが補強部材被係合部３ｄの溝に係合するので、両面テープ６等による接着をなくしても、カバーフレーム３が幅方向に広がらず、カバープレート２ａが外れないようになっている。
【００２８】
次いで、固定部材４の背面側からメイン基板１０を嵌め込み、その後、図１０に示すように、背面側キャビネット７を嵌め込む。このとき、背面側キャビネット７に設けた突条部７ａが組立用隙間１１を埋めるので、その後は、カバープレート２ａが上下にずれたり、カバーフレーム３が幅方向に広がったりして不安定になることはなく、カバーフレーム３から外れることもない。
【００２９】
このように、本実施形態では、カバーフレーム３を分割式にする必要がなく、見映えがよくなる。また、カバーフレーム３により、カバープレート２ａが抜け止めされ、落下時のカバープレート２ａの損傷を防ぐことができる。
【００３０】
さらに、図６に示すように、表示部２の幅方向に両面テープ６を設ける必要がないので、額縁Ｂを最小限として表示エリアＡをできるだけ大きく取ることができる。
【００３１】
したがって、本実施形態に係る携帯電話機１によると、携帯電話機１を落下時にカバープレート２ａが損傷しがたく、見映えがよくて、表示エリアＡの広い、商品性の高いものにすることができる。
【００３２】
−変形例１−
図１１は本発明の実施形態の変形例１を示し、組立用隙間１１を塞ぐ構造が異なる点で上記実施形態と異なる。なお、以下の各変形例では、図１〜図１０と同じ部分については同じ符号を付してその詳細な説明は省略する。
【００３３】
本変形例では、図１１（ａ）に示すように、カバーフレーム３にカバープレート２ａを嵌め込んだ後、固定部材４を嵌め込むときに、その上端縁から突出させた突条部４ａが組立用隙間１１を埋める。その後、背面側キャビネット７及びリアカバー８が嵌め込まれる。
【００３４】
組立後には図１１（ｂ）に示すように、固定部材４の突条部４ａが組立用隙間１１を埋めるので、カバープレート２ａが安定し、簡単な構造でカバーフレーム３からカバープレート２ａが外れるのが確実に防止される。
【００３５】
−変形例２−
図１２は本発明の実施形態の変形例２を示し、組立用隙間１１を塞ぐ構造が異なる点で上記実施形態と異なる。
【００３６】
本変形例では、図１２（ａ）に示すように、被嵌合部３ｃにカバープレート２ａが嵌められた後、固定部材４及び背面側キャビネット７が組み付けられ、その後リアカバー８を嵌め込むときに、その上端縁から突出させた突条部８ａが組立用隙間１１を埋める。
【００３７】
組立後には図１２（ｂ）に示すように、リアカバー８の突条部８ａが組立用隙間１１を埋めるので、カバープレート２ａが安定し、簡単な構造でカバーフレーム３からカバープレート２ａが外れるのが確実に防止される。
【００３８】
−変形例３−
図１３は本発明の実施形態の変形例３を示し、組立用隙間１１を塞ぐ構造が異なる点で上記実施形態と異なる。
【００３９】
本変形例では、図１３（ａ）に示すように、被嵌合部３ｃにカバープレート２ａが嵌められた後、固定部材４及びメイン基板１０が嵌め込まれる。その後、別体として形成した例えば断面Ｌ字状の棒状部材よりなる嵌合部材１２を組立用隙間１１に嵌め込む。その後、背面側キャビネット７を嵌め込み、その背面をリアカバー８で覆うことで、図１３（ｂ）に示すように、カバープレート２ａが安定し、カバーフレーム３からカバープレート２ａが外れるのが確実に防止される。
【００４０】
−変形例４−
図１４は本発明の実施形態の変形例４を示し、組立用隙間１１を塞ぐ構造が異なる点で上記実施形態と異なる。
【００４１】
本変形例では、図１４（ａ）に示すように、被嵌合部３ｃにカバープレート２ａが嵌められた後、固定部材４が嵌め込まれる。その後、メイン基板１０を嵌め込むときに、メイン基板１０の上端の取り付けた、正面側に突条部を有する嵌合部材１０ａを組立用隙間１１に嵌め込む。その後、背面側キャビネット７を嵌め込み、その背面をリアカバー８で覆うことで、図１４（ｂ）に示すように、カバーフレーム３からカバープレート２ａが外れるのが確実に防止される。
【００４２】
−変形例５−
図１５は本発明の実施形態の変形例５を示し、被嵌合部３ｃにおける支持部の構造が異なる点で上記実施形態と異なる。
【００４３】
本変形例では、表示ユニット２ｂの背面側のほぼ全体は、皿状の樹脂製ホルダー部２ｃで覆われ、このホルダー部２ｃと共にカバープレート２ａの外周縁が被嵌合部３ｃに嵌め込まれている。
【００４４】
本変形例では、カバープレート２ａを被嵌合部３ｃに嵌め込むときに、表示ユニット２ｂの背面側のホルダー部２ｃも同時に嵌め込まれる。ホルダー部２ｃが支持される領域は、上記実施形態のように直接カバープレート２ａを支持するものに比べて広く設定しやすく、表示ユニット２ｂのにじみ模様がさらに確実に防止される。
【００４５】
−変形例６−
図１６は本発明の実施形態の変形例６を示し、被嵌合部３ｃにおける支持部の構造が異なる点で上記実施形態と異なる。
【００４６】
すなわち、カバープレート２ａ外周縁は、この外周縁の背面側に当接する例えば上下方向に長い棒状の支持部材１３と共に、被嵌合部３ｃに嵌め込まれている。
【００４７】
本変形例でも、カバープレート２ａを被嵌合部３ｃに嵌め込むときに、支持部材１３も同時に嵌め込まれる。支持部材１３が支持される領域は、上記実施形態に比べて広く設定しやすく、表示ユニット２ｂのにじみ模様がさらに確実に防止される。
【００４８】
（その他の実施形態）
本発明は、上記実施形態について、以下のような構成としてもよい。
【００４９】
すなわち、上記実施形態では、組立用隙間１１は、カバーフレーム３の上側にのみ設けたが、下側にのみ設けてもよく、上下両方に設けてもよい。
【００５０】
上記実施形態では、携帯端末は、携帯電話機１としたが、ＰＨＳ（Personal Handy-phone System）、ＰＤＡ(Personal Digital Assistant)、スマートフォン、パソコン、モバイルツール、電子辞書、電卓、ゲーム機等であってもよい。
【００５１】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００５２】
１      携帯電話機（携帯端末）
２      表示部
２ａ    カバープレート
２ｂ    表示ユニット
２ｃ    ホルダー部
３      カバーフレーム
３ａ    抜け止め部
３ｂ    支持部
３ｃ    被嵌合部
３ｄ    補強部材被係合部
４      固定部材
４ａ    突条部
５      補強部材
５ａ    係合爪
６      両面テープ
７      背面側キャビネット
７ａ    突条部
８      リアカバー
８ａ    突条部
９      電池パック
１０      メイン基板
１０ａ    嵌合部材
１１      組立用隙間
１２      嵌合部材
１３      支持部材
【図１】
2015015628.tif 000003
【図２】
2015015628.tif 000004
【図３】
2015015628.tif 000005
【図４】
2015015628.tif 000006
【図５】
2015015628.tif 000007
【図６】
2015015628.tif 000008
【図７】
2015015628.tif 000009
【図８】
2015015628.tif 000010
【図９】
2015015628.tif 000011
【図１０】
2015015628.tif 000012
【図１１】
2015015628.tif 000013
【図１２】
2015015628.tif 000014
【図１３】
2015015628.tif 000015
【図１４】
2015015628.tif 000016
【図１５】
2015015628.tif 000017
【図１６】
2015015628.tif 000018
【図１７】
2015015628.tif 000019
【図１８】
2015015628.tif 000020